【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
窓枠（１０）の上枠材（１１）と左右縦枠材（１２，１３）が、アルミニウム合金製の室内側枠部材（１Ａ）と室外側枠部材（１Ｂ）、及び両枠部材（１Ａ，１Ｂ）間に結合する断熱性連結材（Ｔ）を備えた断熱構造で、下枠材（１４）が、室内側から室外側に亘って一体に形成された非断熱構造となっており、下枠材（１４）と縦枠材（１２，１３）とが、下枠材と縦枠材との間に室内側から室外側に亘る断熱樹脂ブロック（５）を介して固定してあることを特徴とする出入口用断熱サッシ。
【手続補正２】
【補正対象書類名】明細書
【補正対象項目名】０００５
【補正方法】変更
【補正の内容】
【０００５】
【課題を達成するための手段】
上記目的を達成するために、請求項１の出入口用断熱サッシは、窓枠の上枠材と左右縦枠材が、アルミニウム合金製の室内側枠部材と室外側枠部材、及び両枠部材間に結合する断熱性連結材を備えた断熱構造で、下枠材が、室内側から室外側に亘って一体に形成された非断熱構造となっており、下枠材と縦枠材とが、下枠材と縦枠材との間に室内側から室外側に亘る断熱樹脂ブロックを介して固定してある。
ここで出入口用断熱サッシとは、玄関サッシ、勝手口サッシ等を言い、窓枠とは、建物開口部の内部に取付ける内付け窓枠、及び開口部より室外側に突出るように取付ける半外付け窓枠を言う。
ここで断熱構造の上枠材、及び左右縦枠材とは、アルミニウム合金製の室内側枠部材と室外側枠部材を断熱性連結材で結合し、室内外方向の熱伝導を防ぐことを言い、非断熱構造の下枠材とは、室内外部材に分離されておらず、一体的な構造を成すことを言う。
ここで断熱樹脂ブロックとは、下枠材と縦枠材を直接触れないように離して固定するものを言う。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
【発明の実施の形態】
まず本発明による出入口用断熱サッシの構造を図１〜２に基づき説明すると、窓枠１０を構成する上枠材１１と左右縦枠材１２，１３の夫々が、アルミニウム合金製の室内側枠部材１Ａと室外側枠部材１Ｂ、及び両枠部材１Ａ，１Ｂ間に結合する断熱性連結材Ｔから成り、室内外方向の熱伝導を防ぐ断熱構造を成し、下枠材１４のみが室内側から室外側に亘って一体に形成された非断熱構造を成し、下枠材１４と左右縦枠材１２，１３とが、図２と図７に示すように、下枠材１４と左右縦枠材１２，１３との間に室内側から室外側に亘る断熱樹脂ブロック５を介して固定してある。下枠材１４は図４の如く、上枠材１１の長手方向に平行する台部４１と、台部４１に被さる露出部材４２とから成り、断熱樹脂ブロック５は図７の如く、露出部材４２に連続する平坦部５１の一側に、台部４１に挿入する連結部５２を突設し、縦枠材１２，１３よりブロック５に螺入するネジにて取付けるもので、縦枠材１２，１３と下枠材１４の間に掃除用の掃出し口を形成する。
【手続補正８】
【補正対象書類名】明細書
【補正対象項目名】００１２
【補正方法】変更
【補正の内容】
【００１２】
さらに本発明の出入口用断熱サッシは、ステンレス製の下枠材１４に少なくとも走行レール４ａ，４ｂを設け、具体的にはステンレス製の露出部材４２に走行レール４ａ，４ｂを設け、断熱樹脂ブロック５に走行レール４ａ，４ｂの長手側に連続する隅丸部５ａ，５ｂを突設するもので、走行レール４ａ，４ｂの高さを揃えると、車椅子の出入りが容易になる利点がある。
断熱樹脂ブロック５は図６の如く、下枠材１４の台部４１に略等しい断面形状の平坦部５１に、台部４１内に挿入する連結部５２を設け、且つ連結部５２の突設側に走行レール４ａ，４ｂの端面を覆う隅丸部５ａ，５ｂを突設し、室内側に下枠材１４の水返壁４２ａに連続する水返片５４を、該水返片５４に下枠材１４の踏板壁４２ｂに連続する踏板片５５を設け、水返片５４と踏板片５５の縦枠材１２側に当接片５６を設けるもので、縦枠材１２より平坦部５１に設けた取付穴５３にネジを螺入して固定する。
走行レール４ａ，４ｂの室内側に、補助レール４ｃ，４ｄを平行に、且つ高さを揃えて設けることも可能で、その際、断熱樹脂ブロック５の下枠材１４側に、走行レール４ａ，４ｂの端面を覆う隅丸部５ａ，５ｂと、補助レール４ｃ，４ｄの端面を覆う隅丸部５ｃ，５ｄを設ける。
【手続補正９】
【補正対象書類名】明細書
【補正対象項目名】００１３
【補正方法】変更
【補正の内容】
【００１３】
さらに本発明の出入口用断熱サッシは、上枠材１１の断熱部と、縦枠材１２，１３の断熱部の少なくとも一方の内周側に、断熱部を隠蔽する目隠し材６を取付けるもので、上枠材１１に取付ける目隠し材６１、左縦枠材１２に取付ける目隠し材６２、右縦枠材１３に取付ける目隠し材６３があり、多少形状は相違するも、何れも断熱性に優れた合成樹脂より形成するものである。
上枠材１１用の目隠し材６１は、図３の如く断熱部より広幅の遮蔽部６ａに、室内側枠部材１Ａより垂下するレール１ａの室外側に係止するレール補強部６ｂと、室外側枠部材１Ｂに設けた内周止部１ｃに係止する爪部６ｃを備え、左縦枠材１２用の目隠し材６２は、図５（Ａ）の如く断熱部より広幅の遮蔽部６ａに、室内側枠部材１Ａに設けた内周止部２ａに係止する爪部６ｃと、室外側枠部材１Ｂに設けたシール保持部２ｂの室内側に係止する弾性板６ｄを備え、右縦枠材１３用の目隠し材６３は、図５（Ｂ）の如く断熱部より広幅の遮蔽部６ａに、室内側枠部材１Ａに設けた内周止部３ａに係止する爪部６ｃと、室外側枠部材１Ｂに設けた内周止部３ｂの室内側に係止する弾性板６ｄを備えている。
【手続補正１０】
【補正対象書類名】明細書
【補正対象項目名】００１４
【補正方法】変更
【補正の内容】
【００１４】
さらに本発明の出入口用断熱サッシは、断熱窓枠１０に断熱第一障子２と断熱第二障子３を備え、上枠材１１に風止板７を取付けると共に、下枠材１４に排水ブロック８を取付け、風止板７と気密板９が両障子２，３の閉鎖時に竪框２４，３４に密接し、且つ両障子２，３の戸当側に、戸当框２３，３３に密接する気密板９を取付けている。
第一障子２は図８（Ａ）と図９（Ｂ）の如く、障子枠２０の内部に復層ガラスＰを嵌挿し、障子枠２０を構成する上框２１、下框２２、戸当框２３、及び竪框２４は、アルミニウム合金製の室内側框部材２Ａと室外側框部材２Ｂ、及び両框部材２Ａ，２Ｂ間に結合する断熱性連結材Ｔから成り、断熱性連結材Ｔがガラス嵌挿溝２９に位置し、室内外方向の熱伝導を防ぐ断熱構造を成す。
復層ガラスＰは図１０の如く、室内側ガラス板ｐ１と室外側ガラス板ｐ２を相対し、両ガラス板ｐ１，ｐ２間の外周部に断熱部ｐを着接するもので、障子枠２０に嵌挿した時、断熱部ｐが断熱性連結材Ｔの範囲内にある。
第二障子３は図８（Ａ）と図９（Ａ）の如く、第一障子２と略同様の構造であるから、説明を省略する。
【手続補正１１】
【補正対象書類名】明細書
【補正対象項目名】００１８
【補正方法】変更
【補正の内容】
【００１８】
【発明の効果】
本発明による出入口用断熱サッシは前記構造のとおりであるから、次に記載する効果を奏する。
請求項１の出入口用断熱サッシは、上枠材と縦枠材が、アルミニウム合金製の室内側枠部材と室外側枠部材、及び両枠部材間に結合する断熱性連結材から成る断熱構造であっても、下枠材が室内側から室外側に亘って一体に形成された非断熱構造となっているので、窓枠の耐久力が著しく向上する。また下枠材が非断熱構造であっても、断熱構造の縦枠材との間で、室内側から室外側に亘る断熱樹脂ブロックを介して固定してあるので、従来断熱サッシと同様の断熱効果を維持することができる。
【手続補正１２】
【補正対象書類名】明細書
【補正対象項目名】００１９
【補正方法】削除
【補正の内容】